(57)【要約】【課題】  被切断物が必要以上に引き出されにくくなり、切断しやすくなる巻回物収容ケースを提供する。【解決手段】  巻回物収容ケース１０は、シート体８１を巻回したものよりなる巻回物８０の収容部１２を有する容器本体１１と、収容部１２を覆う内蓋２２と、内蓋２２の一部に重なると共に外方端部に刃部３７が形成された外蓋２４とを備える。シート体８１の切断に当たっては、巻回物８０を収容して内蓋２２を閉じ、内蓋２２の外方端部４０を起点に折り返したシート体８１に被せるように更に外蓋２４を閉じる。この状態で外蓋２４を内蓋２２の側に押し付けると、シート体８１が内蓋２２の外面２８と外蓋２４の内面４１との間に挟み込まれて、又、巻回物８０が内蓋２２により、それぞれ固定される。更に、内蓋２２の外方端部４０にシート体８１が接するようになる。【選択図】  図７
2014213919.tif 000002
【特許請求の範囲】
【請求項１】
シート状の被切断物をロール状に巻回した巻回物を収容する巻回物収容ケースであって、
上部が矩形形状に開放され、前記巻回物を収容することができる収容部を有する容器本体と、
収容された前記巻回物の軸方向に平行な方向における前記収容部の一対の長手上端部の一方の側に開閉自在に接続され、前記収容部を覆うことができる内蓋と、
前記長手上端部の他方の側に開閉自在に接続され、前記内蓋の少なくとも一部に重なるように配置することができると共に外方端部に刃部が形成された外蓋とを備えた、巻回物収容ケース。
【請求項２】
前記内蓋は、前記巻回物の側壁の形状に応じた凹み形状を有しており、
前記内蓋の外面には、凹凸加工が施されている、請求項１記載の巻回物収容ケース。
【請求項３】
前記容器本体は、前記収容部の一対の短手上端部の各々から外方に延びる一対のフランジ部を更に有し、
前記フランジ部の各々の前記長手上端部の他方の側には一対の第１の凹部が、前記フランジ部の各々の前記長手上端部の一方の側には一対の第２の凹部が、それぞれ形成され、
前記内蓋には、閉じた状態において、前記第１の凹部に嵌合する一対の第１の凸部が形成され、
前記外蓋には、前記内蓋が閉じた状態において更に前記外蓋を閉じた状態において、前記第２の凹部に嵌合する一対の第２の凸部が形成された、請求項１又は請求項２記載の巻回物収容ケース。
【請求項４】
前記容器本体は、前記収容部の一対の短手上端部の各々から外方に延びる一対のフランジ部を更に有し、
前記フランジ部の各々の前記長手上端部の他方の側には一対の第１の凸部が、前記フランジ部の各々の前記長手上端部の一方の側には一対の第２の凸部が、それぞれ形成され、
前記内蓋には、閉じた状態において、前記第１の凸部に嵌合する一対の第１の凹部が形成され、
前記外蓋には、前記内蓋が閉じた状態において更に前記外蓋を閉じた状態において、前記第２の凸部に嵌合する一対の第２の凹部が形成された、請求項１又は請求項２記載の巻回物収容ケース。
【請求項５】
前記外蓋は合成樹脂よりなる一枚の平板より形成され、
前記外蓋の前記外方端部の側には前記外蓋の残存部分と外方側の除去部分とを区分けるミシン目を備え、
前記ミシン目で前記除去部分を前記残存部分から引き離すように分離させた時、前記残存部分であって前記引き離された箇所が前記刃部として機能する、請求項３又は請求項４記載の巻回物収容ケース。
【請求項６】
前記容器本体、前記内蓋及び前記外蓋の各々は、合成樹脂よりなる一枚の平板を真空成形したものからなる、請求項５記載の巻回物収容ケース。
【発明の詳細な説明】
【技術分野】
【０００１】
この発明は巻回物収容ケースに関し、特にシート状の被切断物を切断することができる巻回物収容ケースに関するものである。
【背景技術】
【０００２】
アルミホイルやクッキングペーパー等のシート状のものをロール状に巻回した巻回物を収容すると共に、その巻回物から引き出されたシート体を所望の長さで切断することができる容器が、本件出願人が提出した特願２０１２−７８６２７号で提案されている。
【０００３】
図９は、そのような巻回物収容ケースの外観形状を示した斜視図である。
【０００４】
図を参照して、巻回物収容ケース６０は、非結晶ポリエチレンテレフタレート（Ａ−ＰＥＴ）よりなる厚さ０．８ｍｍの平板を真空成形により成形したものからなり、後述するシート状の被切断物をロール状に巻回した巻回物を収容するものである。
【０００５】
巻回物収容ケース６０は、上部が開放された容器本体６１と、容器本体６１にヒンジ部６３を介して接続され、容器本体６１に対し開閉自在の蓋体６２とを備える。容器本体６１の両側のフランジ部６６には凹部６７が、蓋体６２の両側のフランジ部６８には凸部６９がそれぞれ形成され、凸部６９は凹部６７に対し嵌合自在である。よって、蓋体６２を閉じるときに凸部６９を凹部６７に嵌合させることにより、蓋体６２の閉状態を維持することができる。
【０００６】
蓋体６２は、ヒンジ部６３に対向する位置であって蓋体６２の上縁から外方に延びるタブ７０を有する。タブ７０にはヒンジ部６３と平行に延びるミシン目７１が、タブ７０の一方端部から他方端部にかけて形成されている。このミシン目７１により、タブ７０は、タブ７０の内方側の残存部分７２と、タブ７０の外方側の除去部分７３とに区分けされる。
【０００７】
図１０は、図９で示した巻回物収容ケースの除去部分を残存部分から分離する状態を示した模式平面図であり、図１１は、図１０で示した“Ｘ”部分の拡大図であり、図１２は、図１１で示したＸＩＩ−ＸＩＩラインの端面図である。
【０００８】
まず、これらの図を参照して、タブ７０の除去部分７３をミシン目７１にて残存部分７２から引き離すように分離する。尚、分離に当たっては、後述するシート体の切断時におけるシート体の側にあたる、蓋体６２の上方側（閉じた場合の容器本体側）に向かって除去部分７３を引き離す。
【０００９】
すると、上述したように巻回物収容ケース６０は粘り気のある素材であるＡ−ＰＥＴの平板よりなるから、ミシン目７１を構成する開口部７５の各々の間が引き離された結果、除去部分７３が残存部分７２から分離する。この際、残存部分７２であって開口部７５の各々の間であった部分が除去部分７３の側に引き伸ばされながら分離され、蓋体６２の上方側に尖り、切断刃７７として機能するようになる。
【００１０】
図１３は、図１２で示した切断刃をシート体に刺す過程を示す模式図であり、図１４は、図１３で示した切断刃をシート体に刺す過程の後、シート体を切断する過程を示す模式図である。
【００１１】
まず、図１３の（１）を参照して、容器本体６１に被切断物であるシート体８１（クッキングシート）をロール状に巻回した巻回物８０を収容した状態で、巻回物８０から所望の長さのシート体８１を引き出す。
【００１２】
次に、図１３の（１）及び（２）を参照して、蓋体６２を閉じる。
【００１３】
すると、切断刃７７は、その先端７８がシート体８１の切断時においてシート体８１の側を向くように形成されているから、シート体８１に切断刃７７の先端７８が刺さり、シート体８１に切断刃７７の形成間隔ごとに開口が形成される。
【００１４】
この状態で、図１４の（１）に示すように、切断刃７７の外方側のシート体８１を上方に引き上げると、シート体８１に形成された開口の各々が互いに繋がるように広がっていく。その結果、図１４の（２）に示すように、シート体８１が幅方向に切断され、所望の長さのシート片８５が分離される。
【発明の概要】
【発明が解決しようとする課題】
【００１５】
上記のような巻回物収容ケース６０では、シート体８１の切断時には、容器本体６１と蓋体６２の残存部分７２とでシート体８１を挟み、容器本体６１及び残存部分７２とシート体８１との間に生じる摩擦力によってシート体８１を固定していた。
【００１６】
しかし、挟む力が弱い等の原因により十分な摩擦力が得られなかった場合にシート体８１を固定しきれず、シート体８１の切断にあたってシート体８１を引き上げた時に必要以上にシート体８１が引き出されて切断しづらいという問題があった。
【００１７】
この発明は、上記のような課題を解決するためになされたもので、被切断物が必要以上に引き出されにくくなり、切断しやすくなる巻回物収容ケースを提供することを目的とする。
【課題を解決するための手段】
【００１８】
上記の目的を達成するために、請求項１記載の発明は、シート状の被切断物をロール状に巻回した巻回物を収容する巻回物収容ケースであって、上部が矩形形状に開放され、巻回物を収容することができる収容部を有する容器本体と、収容された巻回物の軸方向に平行な方向における収容部の一対の長手上端部の一方の側に開閉自在に接続され、収容部を覆うことができる内蓋と、長手上端部の他方の側に開閉自在に接続され、内蓋の少なくとも一部に重なるように配置することができると共に外方端部に刃部が形成された外蓋とを備えたものである。
【００１９】
このように構成すると、切断時において被切断物は内蓋の外方端部、内蓋の外面の一部及び外蓋の内面に接して引き出される。
【００２０】
請求項２記載の発明は、請求項１記載の発明の構成において、内蓋は、巻回物の側壁の形状に応じた凹み形状を有しており、内蓋の外面には、凹凸加工が施されているものである。
【００２１】
このように構成すると、より摩擦力が生じる。
【００２２】
請求項３記載の発明は、請求項１又は請求項２記載の発明の構成において、容器本体は、収容部の一対の短手上端部の各々から外方に延びる一対のフランジ部を更に有し、フランジ部の各々の長手上端部の他方の側には一対の第１の凹部が、フランジ部の各々の長手上端部の一方の側には一対の第２の凹部が、それぞれ形成され、内蓋には、閉じた状態において、第１の凹部に嵌合する一対の第１の凸部が形成され、外蓋には、内蓋が閉じた状態において更に外蓋を閉じた状態において、第２の凹部に嵌合する一対の第２の凸部が形成されたものである。
【００２３】
このように構成すると、内蓋と外蓋とが掛け合うように閉じた状態で容器本体に保持される。
【００２４】
請求項４記載の発明は、請求項１又は請求項２記載の発明の構成において、容器本体は、収容部の一対の短手上端部の各々から外方に延びる一対のフランジ部を更に有し、フランジ部の各々の長手上端部の他方の側には一対の第１の凸部が、フランジ部の各々の長手上端部の一方の側には一対の第２の凸部が、それぞれ形成され、内蓋には、閉じた状態において、第１の凸部に嵌合する一対の第１の凹部が形成され、外蓋には、内蓋が閉じた状態において更に外蓋を閉じた状態において、第２の凸部に嵌合する一対の第２の凹部が形成されたものである。
【００２５】
このように構成すると、内蓋と外蓋とが掛け合うように閉じた状態で容器本体に保持される。
【００２６】
請求項５記載の発明は、請求項３又は請求項４記載の発明の構成において、外蓋は合成樹脂よりなる一枚の平板より形成され、外蓋の外方端部の側には外蓋の残存部分と外方側の除去部分とを区分けるミシン目を備え、ミシン目で除去部分を残存部分から引き離すように分離させた時、残存部分であって引き離された箇所が刃部として機能するものである。
【００２７】
このように構成すると、外蓋の一部が刃部となる。
【００２８】
請求項６記載の発明は、請求項５記載の発明の構成において、容器本体、内蓋及び外蓋の各々は、合成樹脂よりなる一枚の平板を真空成形したものからなるものである。
【００２９】
このように構成すると、一つの工程で製造可能となる。
【発明の効果】
【００３０】
以上説明したように、請求項１記載の発明は、切断時において被切断物は内蓋の外方端部、内蓋の外面の一部及び外蓋の内面に接して引き出されるので、被切断物が必要以上に引き出されにくくなり、切断しやすくなる。
【００３１】
請求項２記載の発明は、請求項１記載の発明の効果に加えて、より摩擦力が生じるので、より切断しやすくなる。
【００３２】
請求項３記載の発明は、請求項１又は請求項２記載の発明の効果に加えて、内蓋と外蓋とが掛け合うように閉じた状態で容器本体に保持されるので、使い勝手が向上する。
【００３３】
請求項４記載の発明は、請求項１又は請求項２記載の発明の効果に加えて、内蓋と外蓋とが掛け合うように閉じた状態で容器本体に保持されるので、使い勝手が向上する。
【００３４】
請求項５記載の発明は、請求項３又は請求項４記載の発明の効果に加えて、外蓋の一部が刃部となるので、刃部を別途用意しなくてよく、コスト的に有利となる。
【００３５】
請求項６記載の発明は、請求項５記載の発明の効果に加えて、一つの工程で製造可能となるので、製造が容易となる。
【図面の簡単な説明】
【００３６】
【図１】この発明の第１の実施の形態による巻回物収容ケースの外観形状を示す正面図である。
【図２】図１で示した巻回物収容ケースの平面図である。
【図３】図１で示した巻回物収容ケースの右側面図である。
【図４】図２で示したＩＶ−ＩＶラインの端面図である。
【図５】図２で示した巻回物収容ケースの除去部分を残存部分から分離する状態を示した模式平面図である。
【図６】図５で示したＶＩ−ＶＩラインの端面図に対応する図であって、内蓋を閉じる過程を示す模式図である。
【図７】図６で示したシート体の切断過程を示す模式図である。
【図８】図６及び図７で示した巻回物収容ケースの平面図に対応する図であって、内蓋及び外蓋を閉じる過程を示す模式図である。
【図９】背景技術として示した巻回物収容ケースの外観形状を示した斜視図である。
【図１０】図９で示した巻回物収容ケースの除去部分を残存部分から分離する状態を示した模式平面図である。
【図１１】図１０で示した“Ｘ”部分の拡大図である。
【図１２】図１１で示したＸＩＩ−ＸＩＩラインの端面図である。
【図１３】図１２で示した切断刃をシート体に刺す過程を示す模式図である。
【図１４】図１３で示した切断刃をシート体に刺す過程の後、シート体を切断する過程を示す模式図である。
【発明を実施するための形態】
【００３７】
図１は、この発明の第１の実施の形態による巻回物収容ケースの外観形状を示す正面図であり、図２は、図１で示した巻回物収容ケースの平面図であり、図３は、図１で示した巻回物収容ケースの右側面図であり、図４は、図２で示したＩＶ−ＩＶラインの端面図である。
【００３８】
これらの図を参照して、巻回物収容ケース１０は、非結晶ポリエチレンテレフタレート（Ａ−ＰＥＴ）よりなる厚さ０．６ｍｍの平板を真空成形により成形したものからなり、後述するシート状の非切断物をロール状に巻回した巻回物を収容するものである。
【００３９】
このように構成すると、一つの工程で製造可能となるので、製造が容易となる。
【００４０】
巻回物収容ケース１０は、上部が矩形形状に開放され、巻回物を収容することができる収容部１２を有する容器本体１１と、収容された巻回物の軸方向に平行な方向における収容部１２の一対の長手上端部の一方１３の側に第１のヒンジ部２３を介して開閉自在に接続され、収容部１２を覆うことができる内蓋２２と、長手上端部の他方１４の側に第２のヒンジ部２５を介して開閉自在に接続され、内蓋２２が閉じた状態において閉じた場合に内蓋２２の一部に重なるように配置することができる外蓋２４とを備える。このように構成したことによる効果は後述する。
【００４１】
尚、容器本体１１は収容部１２の一対の短手上端部１５ａ及び１５ｂの各々から外方に伸びる一対のフランジ部１６ａ及び１６ｂを有し、フランジ部１６ａ及び１６ｂの各々の長手上端部の他方１４の側には、一対の第１の凹部１７ａ及び１７ｂが、フランジ部１６ａ及び１６ｂの各々の長手上端部の一方１３の側には、一対の第２の凹部１８ａ及び１８ｂが、それぞれ形成され、フランジ部１６ｂには更にフック等に巻回物収容ケース１０を引っ掛けるためのスリット１９が形成されている。又、内蓋２２には、閉じた状態において第１の凹部１７ａ及び１７ｂの各々に嵌合する一対の第１の凸部２６ａ及び２６ｂが形成され、外蓋２４には、内蓋２２が閉じた状態において更に外蓋２４を閉じた状態において第２の凹部１８ａ及び１８ｂの各々に嵌合する一対の第２の凸部２７ａ及び２７ｂが形成されている。
【００４２】
このように構成すると、内蓋２２と外蓋２４とが掛け合うように閉じた状態で容器本体１１に保持されるので、使い勝手が向上する。
【００４３】
尚、内蓋２２は、巻回物の側壁の形状に応じた凹み形状を有しており、内蓋２２の外面２８には、ローレット加工（凹凸加工）が施されている。このように構成したことによる効果は後述する。
【００４４】
又、外蓋２４の外方端部２９の側には外蓋２４の残存部分３２と外方側の除去部分３３とを区分けるミシン目３１を備える。このように構成したことによる効果も後述する。
【００４５】
図５は、図２で示した巻回物収容ケースの除去部分を残存部分から分離する状態を示した模式平面図である。
【００４６】
図を参照して、除去部分３３をミシン目３１にて残存部分３２から引き離すように分離する。尚、分離に当たっては、後述するシート体の切断時においてシート体の側にあたる、外蓋２４の上方側（閉じた場合の容器本体１１の側）に除去部分３３を引き離す。
【００４７】
すると、上述したように巻回物収容ケース１０は粘り気のある素材であるＡ−ＰＥＴの平板よりなるから、ミシン目３１を構成する開口部３４の各々が引き離された結果、除去部分３３が残存部分３２から分離する。この際、残存部分３２であって開口部３４の各々の間であった部分が除去部分３３の側に引き伸ばされながら分離されるので尖り、刃部３７として機能するようになる。
【００４８】
このように構成すると、外蓋２４の一部が刃部３７となるので、刃部３７を別途用意しなくてよく、コスト的に有利となる。
【００４９】
図６は、図５で示したＶＩ−ＶＩラインの端面図に対応する図であって、内蓋を閉じる過程を示す模式図であり、図７は、図６で示したシート体の切断過程を示す模式図であり、図８は、図６及び図７で示した巻回物収容ケースの平面図に対応する図であって、内蓋及び外蓋を閉じる過程を示す模式図である。
【００５０】
まず、図６の（１）及び図８の（１）を参照して、巻回物収容ケース１０の容器本体１１の収容部１２に、被切断物であるシート体８１（クッキングシート）をロール状に巻回した巻回物８０を収容した状態で、少なくとも長手上端部の他方１４を覆う程度の長さのシート体８１を巻回物８０から引き出す。
【００５１】
次に、図６の（１）、（２）、図８の（１）及び（２）を参照して、内蓋２２を閉じると共に、第１の凹部１７ａ及び１７ｂの各々に第１の凸部２６ａ及び２６ｂを嵌合させて内蓋２２を容器本体１１に保持させる。
【００５２】
この状態から、内蓋２２の外方端部４０を起点にしてシート体８１を長手上端部の一方１３の側に折り返し、シート体８１を長手上端部の一方１３の側に更に引き出す。
【００５３】
次に、図６の（２）、図７の（１）、図８の（２）及び（３）を参照して、折り返したシート体８１に被せるようにして外蓋２４を閉じると共に、第２の凹部１８ａ及び１８ｂの各々に第２の凸部２７ａ及び２７ｂを嵌合させて外蓋２４を容器本体１１に保持させる。
【００５４】
ここで、図７の（１）及び図８の（３）を参照して、この状態から、更にシート体８１を所望の長さまで引き出したところで、外蓋２４に刻印された「押」の文字部分等を指で押さえて外蓋２４を内蓋２２の側に押し付ける。そして、外蓋２４を内蓋２２の側に押し付けた状態のまま、刃部３７の外方側のシート体８１を上方に引き上げる。
【００５５】
すると、図７の（２）を参照して、刃部３７の内方側のシート体８１の一部が内蓋２２の外面２８と外蓋２４の内面４１との間に挟み込まれて固定される。又、上述したように内蓋２２は巻回物８０の側壁８２の形状に応じた凹み形状を有しているから、内蓋２２が巻回物８０の側壁８２に沿うように巻回物８０に押し付けられ、内蓋２２により巻回物８０が容器本体１１の収容部１２の内方に固定される。
【００５６】
更に、内蓋２２が巻回物８０の側に押しつけられることに伴い、巻回物８０と内蓋２２とが接する箇所から内蓋２２の外面２８と外蓋２４の内面４１とにシート体８１が挟み込まれる箇所にかけてのシート体８１が張り、内蓋２２の外方端部４０にシート体８１が接するようになる。
【００５７】
このように構成すると、切断時においてシート体８１は内蓋２２の外方端部４０、内蓋２２の外面２８の一部及び外蓋２４の内面４１に接して引き出されるから、シート体８１が巻回物収容ケース１０から必要以上に引き出されにくくなり、切断しやすくなる。
【００５８】
又、上述したように内蓋２２の構成は、巻回物８０の側壁８２の形状に応じた凹み形状を有し、その外面２８にはローレット加工が施されているものであるから、より摩擦力が生じるので、より切断しやすくなる。
【００５９】
そして、この状態から刃部３７の外方側のシート体８１を刃部３７に当てるように更に引き上げると、刃部３７の先端３８がシート体８１に刺さり、その結果、シート体８１が幅方向に切断され、所望の長さのシート片８５が分離される。
【００６０】
尚、上記の第１の実施の形態では、巻回物収容ケースはＡ−ＰＥＴの平板を真空成形したものからなるものであったが、他の合成樹脂の平板を真空成形したものであってもよく、又、容器本体、内蓋及び外蓋を別々に作って繋ぎ合わせる等、他の成形方法により成形されるものであってもよい。
【００６１】
又、上記の第１の実施の形態では、刃部は、ミシン目の切離しにより除去部分を残存部分から引き離すように分離することにより形成されるものであったが、外蓋とは別体であって、外蓋の外方端部に取り付けられる構成のものであってもよい。
【００６２】
更に、上記の第１の実施の形態では、外蓋は、合成樹脂よりなる一枚の平板より形成されたものであったが、他の素材より形成されるものであってもよい。
【００６３】
更に、上記の第１の実施の形態では、巻回物収容ケースはＡ−ＰＥＴの平板よりなるものであったが、紙等の他の素材よりなるものであってもよい。
【００６４】
更に、上記の第１の実施の形態では、第１の凹部が長手上端部の他方側に、第２の凹部が長手上端部の一方側に、それぞれ形成されていたが、これらの位置は入れ替わっていてもよく、又、並列するように形成されていてもよい。
【００６５】
更に、上記の第１の実施の形態では、容器本体に第１の凹部及び第２の凹部が、内蓋に第１の凸部が、外蓋に第２の凸部がそれぞれ形成されていたが、容器本体に第１の凸部及び第２の凸部が、内蓋に第１の凹部が、外蓋に第２の凹部がそれぞれ形成されていてもよい。
【００６６】
更に、上記の第１の実施の形態では、第１の凹部、第２の凹部、第１の凸部及び第２の凸部が形成されていたが、これらは無くてもよい。
【００６７】
更に、上記の第１の実施の形態では、内蓋は巻回物の側壁の形状に応じた凹み形状を有するものであったが、他の形状を有するものであってもよい。
【００６８】
更に、上記の第１の実施の形態では、内蓋の外面にはローレット加工による凹凸加工が施されていたが、ローレット加工以外の加工による凹凸加工が施されていてもよく、又、凹凸加工が施されていなくてもよい。
【００６９】
更に、上記の第１の実施の形態では、外蓋は内蓋の一部に重なるように配置することができるものであったが、内蓋の少なくとも一部に重なるように配置することができるものであればよく、内蓋の全部に重なるように配置することができるものであってもよい。
【００７０】
更に、上記の第１の実施の形態では、シート体はクッキングペーパーであったが、他のものよりなるシート体、例えばアルミホイルやラップフィルムよりなるシート体であってもよい。
【００７１】
更に、上記の第１の実施の形態では、巻回物収容ケースに収容された巻回物は、巻きの方向が特定の方向のものであったが、収容された巻回物の巻きの方向が逆方向のものであっても同様の効果を奏する。
【符号の説明】
【００７２】
１０…巻回物収容ケース
１１…容器本体
１２…収容部
１３…長手上端部の一方
１４…長手上端部の他方
１５ａ、１５ｂ…短手上端部
１６ａ、１６ｂ…フランジ部
１７ａ、１７ｂ…第１の凹部
１８ａ、１８ｂ…第２の凹部
２２…内蓋
２４…外蓋
２６ａ、２６ｂ…第１の凸部
２７ａ、２７ｂ…第２の凸部
２８…外面
２９…外方端部
３１…ミシン目
３２…残存部分
３３…除去部分
３７…刃部
尚、各図中同一符号は同一又は相当部分を示す。
【図１】
2014213919.tif 000003
【図２】
2014213919.tif 000004
【図３】
2014213919.tif 000005
【図４】
2014213919.tif 000006
【図５】
2014213919.tif 000007
【図６】
2014213919.tif 000008
【図７】
2014213919.tif 000009
【図８】
2014213919.tif 000010
【図９】
2014213919.tif 000011
【図１０】
2014213919.tif 000012
【図１１】
2014213919.tif 000013
【図１２】
2014213919.tif 000014
【図１３】
2014213919.tif 000015
【図１４】
2014213919.tif 000016